(57)【要約】【課題】  少ない種類の化粧材を順不同に施工可能であり、装飾模様の幅方向の繰り返しが認識され難く、しかも幅方向の境目部分に違和感のない化粧材を提供する。【解決手段】  本発明の化粧材は、１組の建装材を構成する異なる装飾を有する２種類以上の複数の化粧材であって、複数の化粧材はいずれも、一方向に伸びる長方形形状を有しており、種類の異なる複数の化粧材は、少なくとも部分的に装飾が相互に相違し、複数の化粧材を幅方向に並列配置した場合に、幅方向に隣接する化粧材相互の境目において、装飾どうしは境目を跨って連続するように構成されている。【選択図】  図１
2020051151.tif 000002
【特許請求の範囲】
【請求項１】
１組の建装材を構成する異なる装飾を有する２種類以上の複数の化粧材であって、
前記複数の化粧材はいずれも、一方向に伸びる長方形形状を有しており、
種類の異なる前記複数の化粧材は、少なくとも部分的に前記装飾が相互に相違し、
前記複数の化粧材を幅方向に並列配置した場合に、幅方向に隣接する化粧材相互の境目において、前記装飾どうしは前記境目を跨って連続するように構成された、化粧材。
【請求項２】
前記１組の建装材を構成する前記２種類以上の複数の化粧材は、
前記長方形形状の伸びる方向に、一定の間隔で同一の装飾を有しており、
前記一定の間隔は、前記２種類以上の複数の化粧材において同じである、請求項１に記載の化粧材。
【請求項３】
前記１組の建装材を構成する前記２種類以上の複数の化粧材は、前記長方形形状の長辺を右端および左端としたとき、前記右端に接する前記装飾が相互にいずれも視覚上同一あるいは同一に近く、前記左端に接する前記装飾が相互にいずれも視覚上同一あるいは同一に近いように構成されている、請求項１または請求項２に記載の化粧材。
【請求項４】
同一種類の前記複数の化粧材を、幅方向に隣接する前記化粧材相互の前記境目において前記装飾どうしが前記境目を跨って連続するように並列配置した場合に、幅方向に隣接する前記化粧材において同一となる前記装飾は、前記一方向にオフセットするように構成された、請求項１〜請求項３のいずれかに記載の化粧材。
【発明の詳細な説明】
【技術分野】
【０００１】
本発明は、装飾模様を有する化粧材に関するものである。
【背景技術】
【０００２】
従来、家屋の壁面などに用いられる壁紙に代表される化粧材は、輪転機を用いて帯状に製造された繰り返しの装飾模様を有する巻取状の化粧材を、長方形形状に切断して複数枚とし、化粧材の幅方向を水平方向に向けて並列配置して施工されることが多く行われてきた。例えば化粧材は、一方向に伸びる長方形形状を有しており、長辺方向（壁面では上下方向）の寸法は特に制限ない。巻取状の化粧材は、例えば、製造時は３０００ｍ程度の長さの単位で量産し、しかる後、壁紙の場合では、５０ｍ程度の長さの巻取に小巻して、搬送し、保管し、切断され施工される。このような化粧材の長辺方向は、原則、一定の間隔（版胴周長に相当。例えば１８６０ｍｍ。）で装飾模様が繰り返されることとなる。ただし、該長辺方向の繰り返しのつなぎ目は、目立たない様に工夫（つなぎ目処理）されていた。
【０００３】
例えば、装飾模様が独立した絵柄（連続していない花柄やトランプ柄の様に、絵柄の輪郭が存在しない領域を有する絵柄）であれば、該絵柄の輪郭が存在しない領域が繰り返しのつなぎ目となるようにする（例えば、特許文献１）。また装飾模様が木目の様に連続した絵柄の場合には、繰り返しのつなぎ目において不自然な外観とならない様に絵柄の輪郭を該つなぎ目において連続する様にする、輪郭を目立たなくするなどの処理（つなぎ目処理）がなされていた（例えば、特許文献２）。
【０００４】
化粧材の幅（化粧材面において長辺方向と直交する短辺方向の長さ）はそれを形成する輪転機の版胴幅に依存するため、通常は一定であり、例えば９２０ｍｍである。長方形形状の化粧材をその幅方向を水平方向に向けて複数枚突き合わせた並列配置として施工する場合は、この幅で繰り返しの装飾模様となる。化粧材が例えば壁紙である場合には、施工対象である壁に合わせて、同一の巻取状の化粧材から複数枚切出して、その長辺方向を上下方向に、幅方向を左右方向として並列配置により施工していた。
【先行技術文献】
【特許文献】
【０００５】
【特許文献１】実公平５−１９３６０号公報
【特許文献２】特開平１０−１５１７２１号公報
【発明の概要】
【発明が解決しようとする課題】
【０００６】
上記の通り、施工後において化粧材の装飾模様は、幅方向において化粧材の幅ごとの繰り返しとなっている。一般的な住宅の居室における壁面が例えば高さ２．４ｍ、幅３．６ｍ程度であれば、装飾模様は幅方向に４回繰り返されることとなる。この幅方向の繰り返しが目立たない様に、通常は、化粧材の長辺方向に繰り返される装飾模様の同一部分が幅方向（左右方向）において隣接しない様に、隣接する化粧材において装飾模様の同一部分が長辺方向（上下方向）に異なる位置に配置される様に施工される。また一般的な住宅の居室において、幅方向の繰り返し距離と、居住者が壁面を視認する距離との関係を鑑みても、上記幅方向の繰り返しはあまり問題とならなかった。
【０００７】
しかしながら、公共施設のロビーや駅構内など、壁面の面積が広く、また壁面に対し十分な視認距離を確保することができるような広い空間においては、上記装飾模様の幅方向の繰り返しが問題となってくる。化粧材の装飾模様が、天然木を模した木目調の場合や、職人による塗り壁を模した塗り壁調などである場合には、装飾模様の繰り返しが容易に認識出来てしまうと、実際の天然木や職人による塗り壁には繰り返し模様は存在しないことから、人工的な模造による化粧材であると認識されてしまい、実際の天然木による化粧材や職人による塗り壁において得られると考えられる高級感が得られないばかりか、逆に安価な印象を与えてしまう恐れがある。
【０００８】
そこで、化粧材であっても装飾模様が幅方向に繰り返されることがない様に、装飾模様が例えば天然木を模した木目調である場合には、同じ種類の木の木目であっても、装飾模様として模倣する領域を異ならせたり、断面を異ならせたりすることにより、異なる装飾模様を有する化粧材を用いることで幅方向の繰り返しを回避することが可能となる。このような場合、隣接する化粧材の突き合わせ部分において、装飾模様が不連続となることにより不自然な感じとならない様、該突き合わせ部分（境目部分）において、絵柄の輪郭が連続する様にする、輪郭を目立たなくするなどの処理（境目処理）が考えられる。
【０００９】
この処理のために、例えば化粧材Ａの右側に隣接して化粧材Ｂ、さらにその右側に隣接して化粧材Ｃを突き合わせて施工する場合には、化粧材Ａの右端の装飾模様Ａｒと化粧材Ｂの左端の装飾模様Ｂｌの境目、および化粧材Ｂの右端の装飾模様Ｂｒと化粧材Ｃの左端の装飾模様Ｃｌの境目は、上記境目処理がされている。ＡｒとＢｌの関係、およびＢｒとＣｌの関係においては境目処理がなされているが、ＡｒとＣｌの関係などにおいては適切な境目処理されていないことになるため、化粧材Ａの右側に隣接して化粧材Ｃを突き合わせて施工する場合には、装飾模様が不連続となることにより不自然な印象を与える場合がある。すなわち実用上、左から化粧材Ａ、化粧材Ｂ、化粧材Ｃ（以下Ａ、Ｂ、Ｃと記載）の順のみが許容され、Ａ、Ｃ、Ｂの順やＢ、Ａ、Ｃの順は許容されないこととなる。
【００１０】
ここで、上記広い空間における壁面の幅が例えば９ｍ、化粧材の幅を９２０ｍｍとすれば、幅方向においては１０枚の化粧材を使用することとなるが、幅方向の繰り返しを避けるためにはその１０枚の装飾模様はすべて異なる、すなわち１０種類の異なる化粧材であることを要し、かつ上記境目処理のため、その１０種類の幅方向の施工位置順序の組み合わせは一通りのみに限定される。化粧材が壁紙である場合には、上記の通り１０種類の異なる巻取状の化粧材を用意することを要するが、各巻取状の化粧材について長辺方向については壁面の高さ分しか使用しないため、コスト高かつ不経済となり、化粧材を使用するメリットが大きく損なわれるという問題がある。
【００１１】
以上から、本発明の課題は、少ない種類の化粧材を幅方向に順不同に施工可能であり、装飾模様の幅方向の繰り返しが認識され難く、しかも幅方向の境目部分に違和感のない化粧材を提供することである。
【課題を解決するための手段】
【００１２】
本発明の化粧材は、１組の建装材を構成する異なる装飾を有する２種類以上の複数の化粧材であって、複数の化粧材はいずれも、一方向に伸びる長方形形状を有しており、種類の異なる複数の化粧材は、少なくとも部分的に装飾が相互に相違し、複数の化粧材を幅方向に並列配置した場合に、幅方向に隣接する化粧材相互の境目において、装飾どうしは境目を跨って連続するように構成された、化粧材である。
【００１３】
上記化粧材において、１組の建装材を構成する２種類以上の複数の化粧材は、長方形形状の伸びる方向に、一定の間隔で同一の装飾を有しており、一定の間隔は、２種類以上の複数の化粧材において同じであってもよい。
【００１４】
上記化粧材において、長方形形状の長辺を右端および左端としたとき、右端に接する装飾が相互にいずれも視覚上同一あるいは同一に近く、左端に接する装飾が相互にいずれも視覚上同一あるいは同一に近いように構成されていてもよい。
【００１５】
上記化粧材において、同一種類の複数の化粧材を、幅方向に隣接する化粧材相互の境目において装飾どうしが境目を跨って連続するように並列配置した場合に、幅方向に隣接する化粧材において同一となる装飾は一方向にオフセットするように構成されていてもよい。
【発明の効果】
【００１６】
本発明によれば、少ない種類の化粧材を幅方向に順不同に施工可能であり、装飾模様の幅方向の繰り返しが認識され難く、しかも幅方向の境目部分に違和感のない化粧材を提供することができる。
【図面の簡単な説明】
【００１７】
【図１】本発明の第１実施形態による化粧材の施工例
【図２】本発明の第１実施形態による化粧材の説明図
【図３】本発明の第１実施形態による化粧材の部分拡大図
【図４】本発明の第１実施形態による化粧材の他の施工例
【図５】本発明の第１実施形態による化粧材の他の施工例
【図６】本発明の第１実施形態による化粧材の他の施工例
【図７】比較例による化粧材の施工例
【図８】比較例による化粧材の他の施工例
【図９】本発明の第２実施形態による化粧材の施工例
【図１０】本発明の第２実施形態による化粧材の説明図
【図１１】本発明の第２実施形態による化粧材の他の施工例
【図１２】本発明の第２実施形態による化粧材の他の施工例
【図１３】本発明の第２実施形態による化粧材の他の施工例
【図１４】本発明の第２実施形態による化粧材の他の施工例
【図１５】比較例による化粧材の他の施工例
【図１６】本発明の第２実施形態による化粧材の他の施工例
【図１７】本発明の実施例に係る化粧材の例
【図１８】本発明の実施例に係る化粧材の他の例
【図１９】本発明の実施例に係る化粧材の他の例
【図２０】本発明の実施例に係る化粧材の施工例
【図２１】比較例に係る化粧材の他の施工例
【発明を実施するための形態】
【００１８】
（第１実施形態）
以下、本発明の第１実施形態について、図１〜図６を参照して説明する。なお、以下に示す各図は、模式的に示した図であり、各部の大きさ、形状、装飾などは理解を容易にするため適宜誇張、単純化などしている。また説明に直接的な関係しない構成などについては適宜省略している。なお、以下の各図において、同一部分には同一の符号を付しており、一部詳細な説明を省略する場合がある。
【００１９】
図１に本発明の第１実施形態に係る、異なる装飾３Ａ〜３Ｄを有する４種類の複数の化粧材１Ａ〜１Ｄが、幅方向に突き合わされ並列配置された様子を示す。４種類の複数の化粧材１Ａ〜１Ｄは１組の建装材１０を構成し、いずれも一方向（図中Ｙ方向、壁面を施工する場合には鉛直方向ないし上下方向に相当）に長辺が伸びる長方形形状を有している。４種類の複数の化粧材１Ａ〜１Ｄは、少なくとも部分的（図３においては各化粧材１Ａ〜１Ｄの中央領域２Ａｃ〜２Ｄｃ部分）に装飾３Ａ〜３Ｄ（より詳しくは中央領域の装飾３Ａｃ〜３Ｄｃ）が相互に相違している。幅方向すなわち長方形の短辺方向（図中Ｘ方向）に隣接する化粧材１Ａ〜１Ｄ相互の境目（図１における４ＡＢ、４ＢＣ、４ＣＤ）において、装飾３Ａ〜３Ｄどうしは境目を跨って連続するように構成されている。
【００２０】
図２に、幅方向に突き合わされ並列配置されていない状態での４種類の複数の化粧材１Ａ〜１Ｄを示す。４種類の複数の化粧材１Ａ〜１Ｄは各々、平面視形状が長方形形状となっており、その各幅をＷＡ〜ＷＤに示している。各幅ＷＡ〜ＷＤは、同じであっても良いし、相互に異なっていても良く、幅は各々任意である。なお、図２の実施形態においては、４つの化粧材の幅は全て同一（ＷＡ＝ＷＢ＝ＷＣ＝ＷＤ）とされている。
また、本発明における「長方形」は、幾何学上の長方形の定義に厳密に合致する形状のみに限定されるものではない。本発明の他の構成要件を充足した上で本発明の作用効果を奏する限りにおいて、各種の長方形に近似する形状も本発明の「長方形」に包含される。かかる長方形に近似する形状とは、例えば、長辺と短辺の長さが等しくなった長方形である正方形、各頂角が概ね９０度、例えば、８０度以上１００度以下、の範囲内となる菱形、台形、或いは平行四辺形である。更に、これらの長方形、正方形、菱形、台形、或いは平行四辺形の各辺の一部又は全部を曲線や折線に置換した形状も、本発明の他の構成要件を充足した上で本発明の作用効果を奏する限りにおいては、本発明の「長方形」に包含される。
【００２１】
一方、長辺方向、すなわち長方形形状が伸びる方向（図中Ｙ方向）については、装飾が各化粧材１Ａ〜１Ｄにおける図中の破線の長辺方向の間隔Ｐで繰り返しとなっている。そして各化粧材１Ａ〜１Ｄにおいて、繰り返しの間隔Ｐは同じ値となっている。換言すれば、各化粧材１Ａ〜１Ｄは各々、長方形形状の伸びる方向に、一定の繰り返し間隔Ｐで同一の装飾を有しており、一定の繰り返し間隔Ｐは、各化粧材１Ａ〜１Ｄにおいて同じである。
【００２２】
装飾３Ａ〜３Ｄは輪転機において加工されることが多いが、各化粧材１Ａ〜１Ｄにおいて、装飾３Ａ〜３Ｄを輪転機で加工する際の版胴周長がいずれも繰り返しの間隔Ｐで同じ値である。また上述の通り、通常は繰り返しのつなぎ目が分かり難くなるような処理（つなぎ目処理）がなされている。なお図１、図２などの各図における幅方向の破線は、説明および理解を容易にするために、長辺方向の繰り返し間隔を視覚化するために設けたものであり、実際の各化粧材１Ａ〜１Ｄにおいては、このような破線は存在しない。
【００２３】
次に、各化粧材１Ａ〜１Ｄにおける装飾について説明する。図３は、４種類の複数の化粧材１Ａ〜１Ｄについて、下記各領域を説明するための概念図であり、各領域の分け方は各化粧材１Ａ〜１Ｄにおいて共通するため、１つの図で代表させている。図３に示す通り、各化粧材１Ａ〜１Ｄにおいて、その幅方向に左から、左端領域（２Ａｌ〜２Ｄｌ）、中央領域（２Ａｃ〜２Ｄｃ）、右端領域（２Ａｒ〜２Ｄｒ）の３つの領域に概念上分けて考える。そして図２に示す通り、各化粧材１Ａ〜１Ｄにおいて、左端領域に存在する装飾を３Ａｌ〜３Ｄｌ、中央領域に存在する装飾を３Ａｃ〜３Ｄｃ、右端領域に存在する装飾を３Ａｒ〜３Ｄｒとする。そうすると、装飾３Ａ（〜３Ｄ）は、左端領域の装飾３Ａｌ（〜３Ｄｌ）と、中央領域の装飾３Ａｃ（〜３Ｄｃ）と、右端領域の装飾３Ａｒ（〜３Ｄｒ）とから構成されることになる。
【００２４】
各化粧材１Ａ〜１Ｄにおいて、上記３つの領域に存在する装飾は、相互に違和感なく連続的に形成されている。例えば、化粧材１Ａにおいては、装飾３Ａｌと３Ａｃ、および装飾３Ａｃと３Ａｒは、それぞれ相互に違和感なく連続的に形成されている。すなわち、化粧材１Ａにおける３つの領域の装飾３Ａｌ、３Ａｃ、３Ａｒは、３つの領域を合わせた化粧材全面において違和感なく連続的に形成され、全体として１つのまとまった装飾３Ａを構成している。同様に化粧材１Ｂにおける３つの領域の装飾３Ｂｌ、３Ｂｃ、３Ｂｒは、３つの領域を合わせた化粧材全面において違和感なく連続的に形成され、全体として１つのまとまった装飾３Ｂを構成している。化粧材１Ｃ、１Ｄについても同様である。
【００２５】
ここで、中央領域に存在する装飾３Ａｃ〜３Ｄｃは、少なくとも部分的に相互に相違している。一方、左端領域に存在する装飾３Ａｌ〜３Ｄｌどうし相互は、いずれも視覚上同一あるいは同一に近い装飾３ｌとなっている。同様に右端領域に存在する装飾３Ａｒ〜３Ｄｒどうし相互は、いずれも視覚上同一あるいは同一に近い装飾３ｒとなっている。かつ、各左端領域の装飾３Ａｌ〜３Ｄｌは、その左端に隣接配置される各右端の装飾３Ａｒ〜３Ｄｒとは後述のように境目を跨って連続して繋がる。
図２を参照して具体的に説明すると、４種類の複数の化粧材１Ａ〜１Ｄにおいて、中央領域に存在する装飾３Ａｃ〜３Ｄｃは、三角、菱形、円形、星型として示す通り、少なくとも部分的に相互に相違している。一方、左端領域に存在する装飾３Ａｌ〜３Ｄｌは、いずれも上から「１、２、３、４、５、６、７、８」という数字の右半分として示す通り、同一の装飾３ｌとなっている。同様に右端領域に存在する装飾３Ａｒ〜３Ｄｒは、いずれも上から「１、２、３、４、５、６、７、８」という数字の左半分として示す通り、同一の装飾３ｒとなっている。
【００２６】
以上からすると、化粧材１Ａにおいては、３つの領域の装飾３ｌ、３Ａｃ、３ｒは３つの領域を合わせた化粧材全面において違和感なく連続的に形成され、同様に化粧材１Ｂにおいては、装飾３ｌ、３Ｂｃ、３ｒが、化粧材１Ｃにおいては、装飾３ｌ、３Ｃｃ、３ｒが、化粧材１Ｄにおいては、装飾３ｌ、３Ｄｃ、３ｒが、化粧材全面において違和感なく連続的に形成されていることになる。すなわち、４種類の複数の化粧材１Ａ〜１Ｄにおいて、左端領域の装飾３ｌ、および右端領域の装飾３ｒはそれぞれ相互に視覚上同一あるいは同一に近いものとなっており、中央領域の装飾３Ａｃ〜３Ｄｃは少なくとも部分的に相互に相違しているにも関わらず、各装飾３Ａ〜３Ｄは、いずれも化粧材全面において違和感なく連続的に形成されていることになる。
【００２７】
各図面は説明のための概念図であるため、装飾の連続性に関する上記説明は、図面においては理解し難いかもしれないが、本発明を好適に適用できる。例えば木目調や塗り壁調のような装飾において、問題なく適用できる。
【００２８】
図１に示すように、複数の化粧材１Ａ〜１Ｄはいずれも、一方向に伸びる長方形形状を有しており、長方形形状が伸びる方向すなわち長辺方向と直交する幅方向（図中Ｘ方向）に向かって、間に間隙や目地溝、レール、スペーサ等の部材を介する事無く、互いに隣接して、並列配置されて建装材１０を構成している。なお、本発明において、「隣接」の語はかかる意味で用いる。
【００２９】
ここで、本発明において「長方形形状が伸びる方向即ち長辺方向と直交する」とは、長方形形状が伸びる方向すなわち長辺方向に対して厳密に直角に交わる状態のみならず、化粧材の施工において並列配置とする際に許容される角度の方向も含むものである。その角度は、建装材を構成する化粧材（長方形形状に切断された化粧材）の長辺方向の長さにもよるが、例えば、長方形形状が伸びる方向に対して８７度以上９３度以下の範囲とすることができる。
【００３０】
また、複数の化粧材１Ａ〜１Ｄを幅方向に並列配置した場合に、幅方向に隣接する化粧材相互の境目（図１における４ＡＢ、４ＢＣ、４ＣＤ）において、装飾どうし（３ｌと３ｒ）は境目を跨って連続するように構成されている。ここで、本発明において「境目を跨って連続する装飾」とは、化粧材１を幅方向に隣接するように施工（建装材を構成）した際に、隣接する化粧材１間の境目４を跨って連続することになる装飾のことである。換言すれば、複数の化粧材１Ａ〜１Ｄをたがいに隣接して配置した際に、装飾どうし（３ｌと３ｒ）の関係が以下の２要件を満たし、化粧材１を幅方向に隣接するように施工した際に、隣接する化粧材１間の境目４を跨って連続的につながって装飾を構成することになる各化粧材１における装飾のことである。
【００３１】
（要件１）幅方向に隣接する化粧材相互の境目（図１における４ＡＢ、４ＢＣ、４ＣＤ）において、装飾どうし（３ｌと３ｒ）の色（色相、明度、および彩度）、光沢度等の視覚に影響する特性値の差が、境目の近傍において、違和感のない範囲内、好ましくは視覚の弁別閾値以下となる。図１の例では、３ｌと３ｒとで色および光沢度は同一とされている。
（要件２）幅方向に隣接する化粧材相互の境目（図１における４ＡＢ、４ＢＣ、４ＣＤ）において、装飾どうし（３ｌと３ｒ）で構成される領域が、全体として一まとまりの、一体となった模様を構成する。図１の例では、３ｌと３ｒとが３か所の境目（４ＡＢ、４ＢＣ、４ＣＤ）においてそれぞれ接続され、それぞれ一体化されている。より具体的には、「１、２、３、４、５、６、７、８」という数字の右半分と左半分とが接続され、一体化されて、通常の数字「１、２、３、４、５、６、７、８」が構成されている。
【００３２】
上記、幅方向に隣接する化粧材１Ａ〜１Ｄ相互の境目（図１における４ＡＢ、４ＢＣ、４ＣＤ）において、装飾どうし（３ｌと３ｒ）は境目を跨って連続するように構成されている件につき、詳細に説明する。図１における幅方向に隣接する化粧材相互の境目４ＡＢ、４ＢＣ、４ＣＤにおいて、「１、２、３、４、５、６、７、８」という数字の右半分として示される左端領域の装飾３ｌと、「１、２、３、４、５、６、７、８」という数字の左半分として示される右端領域の装飾３ｒとは、境目を跨って連続するように構成されている。すなわち化粧材相互の境目４ＡＢ、４ＢＣ、４ＣＤにおいて、数字の左半分と右半分とが境目を跨って連続するように接続されて、その結果、各境目４ＡＢ、４ＢＣ、および４ＣＤ間に挾んだ各境目近傍領域には「１、２、３、４、５、６、７、８」という数字が形成される。
【００３３】
ところで上述の通り、４種類の複数の化粧材１Ａ〜１Ｄにおいて、左端領域の装飾３ｌ、および右端領域の装飾３ｒはそれぞれ相互に視覚上同一あるいは同一に近いものとなっている。そうすると、装飾３ｌと装飾３ｒとが化粧材の境目において境目を跨って連続するように接続されるのは、図１に例示する化粧材１Ａと１Ｂの境目（４ＡＢ）、化粧材１Ｂと１Ｃの境目（４ＢＣ）、化粧材１Ｃと１Ｄの境目（４ＣＤ）のみに限定される訳ではなく、化粧材１Ａ〜１Ｄを任意の順序で幅方向に並列配置した場合であっても、その境目において境目を跨って連続するように接続されることとなる。
【００３４】
化粧材１Ａ〜１Ｄを任意の順序で幅方向に並列配置した場合の一例を図４に示す。図１においては、左から化粧材１Ａ、１Ｂ、１Ｃ、１Ｄ、１Ａの順に並列配置した例であるのに対し、図４においては、左から化粧材１Ａ、１Ｃ、１Ｂ、１Ｄ、１Ａの順に並列配置されている。図４においても各境目４ＡＣ、４ＣＢ、４ＢＤ、４ＤＡにおいて、装飾３ｌと装飾３ｒとが化粧材の境目において境目を跨って連続するように接続されている。
【００３５】
さらに、１組の建装材１０が４種類の複数の化粧材１Ａ〜１Ｄから構成される場合であっても、４種類の中から任意の３種類を選択して任意の順序で幅方向に並列配置してもよい。図５は、４種類の複数の化粧材１Ａ〜１Ｄの中から３種類の化粧材１Ａ〜１Ｃを選択し、しかもそれらを任意の順序（図５の例においては左から１Ａ、１Ｃ、１Ｂ、１Ａ、１Ｃの順序）で幅方向に並列配置した例である。この場合においても各境目４ＡＣ、４ＣＢ、４ＢＡにおいて、装飾３ｌと装飾３ｒとが化粧材の境目において境目を跨って連続するように接続されている。
【００３６】
さらに、４種類の中から任意の２種類を選択して任意の順序で幅方向に並列配置してもよい。図６は、４種類の複数の化粧材１Ａ〜１Ｄの中から２種類の化粧材１Ａ、１Ｂを選択し、それらを任意の順序（図６の例においては左から１Ａ、１Ｂ、１Ａ、１Ｂ、１Ａの順序）で幅方向に並列配置した例である。この場合においても各境目４ＡＢ、４ＢＡにおいて、装飾３ｌと装飾３ｒとが化粧材の境目において境目を跨って連続するように接続されている。
【００３７】
上記の通り、本発明に係る１組の建装材１０を構成する複数の化粧材１は、１組の建装材１０が、例えばｎ種類（ここで、ｎは３≦ｎの自然数）の複数の化粧材１から構成されている場合において、その中から任意のｍ種類（２≦ｍ≦ｎ）のみを選択し、さらにそれらｍ種類の複数の化粧材を任意の順番に幅方向に並列配置することができる。どのような順番の並列配置であっても、幅方向に隣接する化粧材１相互の境目において、装飾３どうしは境目を跨って連続するように認識される。
【００３８】
そのため、本発明に係る化粧材１を壁面などに施工する際、１組の建装材１０がｎ種類の複数の化粧材１から構成される場合であっても、ｎ種類の化粧材１すべてを準備する必要はなく、任意のｍ種類（２≦ｍ≦ｎ）のみを準備して施工した場合であっても、幅方向に隣接する化粧材１相互の境目において、装飾３どうしは境目を跨って連続するように認識される。そのため、準備（購入）する化粧材１の種類を少なくすることができ、化粧材１の購入費用を抑えることができる。また巻取状の化粧材１を運搬する手間や、保管する場所も少なくて済み、経済的かつ合理的である。かつ、化粧材自体は本来ｎ種類の化粧材１Ａ、１Ｂ、・・・、１（ｎ−１）、１ｎを１組にして建装材１０を構成するように設計されているにも関わらず、施工対象の幅、所望の意匠などに応じて臨機応変的に、施工に採用する化粧材の種類を最低２種類から最大ｎ種類までの範囲で任意に選択可能であり、建装材１０の設計の自由度が高くなる。
【００３９】
上記の通り、本発明に係る１組の建装材１０を構成する複数の化粧材１は各々、長方形形状の伸びる方向に、一定の繰り返し間隔Ｐで同一の装飾を有しており、一定の繰り返し間隔Ｐは、各化粧材１において同じとなっている。このため、各化粧材１は、輪転機を用いて大量かつ安価に形成することができる。
【００４０】
また本発明において、１組の建装材１０を構成する化粧材１を形成する際の輪転機の版胴周長を同じにすることにより、長辺方向のいずれの位置においても、幅方向に隣接する化粧材１相互の境目において、装飾３どうしは境目を跨って連続するようにすることができる。
【００４１】
また上記の通り、各化粧材１の幅は任意であり、化粧材１ごとに異なっていても良い。輪転機の版胴周長さえ合わせておけば、各化粧材１を形成する輪転機は任意のものを使用できる。このため、輪転機を用いて各化粧材１を形成する際に、他製品の形成まで含めた輪転機の空き状況を鑑み、都合の良い輪転機を使用することができる。このため、化粧材１を効率的に安価に形成することができる。なお上述の通り、長辺方向の装飾の繰り返しは、幅方向の装飾の繰り返しより認識され難く、問題とはなり難い。
【００４２】
上記考えをさらに推し進めると、任意の１種類の化粧材１のみを選択して幅方向に並列配置した場合においても、各境目において、装飾３どうしは境目を跨って連続するように接続されることとなる。ただし、この場合は、装飾模様の幅方向の繰り返し周期が化粧材１の幅Ｗ（ＷＡ、ＷＢ、・・・）自体と一致し、上記本発明に各実施形態と比べて短くなり、装飾模様の幅方向の繰り返しが視覚的に認識され易い（目立つ）ため、好ましくない。図７は、４種類の複数の化粧材１Ａ〜１Ｄの中から化粧材１Ａのみを選択し、幅方向に並列配置した比較例の化粧材の施工例である。この場合においても各境目４ＡＡにおいて、境目を跨って連続するように接続されることとなる。
ただし、幅方向においては、中央領域の装飾３Ａｃが幅方向に繰り返されていることが容易に認識できてしまう。幅方向の繰り返しが認識し易い理由は、人間の両眼は顔の左右に（水平方向）に配されているため、人間の視覚として、鉛直方向（図中Ｙ方向）よりも水平方向すなわち幅方向（図中Ｘ方向）の繰り返しの方が敏感に認識できてしまうという特性のためと考えられる。各図に示されるように、装飾３Ａｃは、長方形形状が伸びる方向（図中Ｙ方向）にも、一定の繰り返し間隔Ｐで繰り返されているが、上記人間の感覚の特性により、幅方向の繰り返しよりは認識され難い。
【００４３】
上記の通り、本発明の化粧材１は、１種類の化粧材１のみを幅方向に並列配置した場合であっても、装飾３は各境目において、境目を跨って連続するように接続されるようになっているため施工可能である。しかし、図７のように同一種類の複数の化粧材１を幅方向に隣接して、あるいは図６のように２種類の化粧材１を交互に幅方向に隣接して施工する場合の様に、同一種類の複数の化粧材１相互の幅方向の距離がある程度近い場合には、装飾３が幅方向に繰り返されていることが容易に認識できてしまう場合があり、好ましくない場合がある。
【００４４】
もう１つの比較例の化粧材の施工例を図８に示す。この比較例においては、図７の建装材における装飾模様の幅方向の繰り返し周期を目立ち難くするために改変を加えたものである。この形態では、１種類の化粧材１Ａのみを各境目において、装飾３が境目を跨って連続するように幅方向に並列配置した場合に、中央領域の装飾３Ａｃは、幅方向に並列配置され隣接する化粧材１Ａ間において、長辺方向、すなわち長方形形状が伸びる方向（図中Ｙ方向）において異なる位置となっている。換言すれば、図８の比較例に係る化粧材１は、同一種類の複数の化粧材１を、幅方向に隣接する化粧材１相互の境目において装飾どうしが境目を跨って連続するように並列配置した場合に、幅方向に隣接する化粧材１において同一となる装飾３ｃは長方形形状が伸びる方向（一方向）に位置が変位（以下、オフセットとも言う）するように構成されている。図８においては、長方形形状が伸びる方向のオフセット量ＯＦは、上述した繰り返しの間隔Ｐの半分となっている。すなわち、ＯＦ＝Ｐ／２、となっている。
【００４５】
図７と図８を比較しても明らかなように、中央領域の装飾３Ａｃが幅方向に繰り返されていることは、オフセット量ＯＦを有する図８の比較例の方が認識し難くなっている。これは上述の通り、人間の視覚は、水平方向（図中Ｘ方向）の繰り返しに対し敏感であるという特性のためと考えられる。
【００４６】
上述の通り、図８の例においてオフセット量ＯＦは、繰り返しの間隔Ｐの半分となっている。この場合において、幅方向に並列配置され隣接する化粧材１Ａの装飾３Ａｃどうしは、長方形形状が伸びる方向（図中Ｙ方向）においても、そして化粧材において装飾がなされている面（図中ＸＹ平面）における距離においても、その間隔を最も離すことができる。すなわち、同一種類の複数の化粧材１のみを幅方向に並列配置する場合においては、オフセット量ＯＦが繰り返しの間隔Ｐの半分である形態が、隣接する化粧材１Ａの装飾３Ａｃの繰り返しが最も認識され難いと考えられる。しかしこれに限定されることはなく、オフセット量ＯＦは任意に設定することができる。
【００４７】
（第２実施形態）
図９に第２実施形態に係る４種類の複数の化粧材１Ａ〜１Ｄを左から幅方向に１Ａ、１Ｂ、１Ｃ、１Ｄ、１Ａ、・・・の順に並列配置した例を示す。化粧材１Ａ〜１Ｄは各境目において、装飾どうしが境目を跨って連続するように幅方向に並列配置されている。図９の例においては、隣接して配置される化粧材は種類が異なる（例えば１Ａと１Ｂ、１Ｂと１Ｃなど）ため、中央領域の装飾が異なって（例えば３Ａｃと３Ｂｃ、３Ｂｃと３Ｃｃなど）いる。異なる装飾相互においては装飾の幅方向の繰り返しは発生しないため、オフセット量ＯＦは不要である。しかし図９の例の様に、オフセット量ＯＦが設定されていても問題ない。
【００４８】
第２実施形態に係るオフセット量ＯＦについて説明する。図１０に、第２実施形態に係る４種類の複数の化粧材１Ａ〜１Ｄが幅方向に突き合わされ並列配置されていない状態を示す。左端領域に存在する装飾３Ａｌ〜３Ｄｌは、いずれも上から「１、２、３、４、５、６、７、８」という数字の右半分として示す通り、同一の装飾３ｌとなっており、図２に示した第１実施形態に係る４種類の複数の化粧材１Ａ〜１Ｄと同様である。一方、右端領域に存在する装飾３Ａｒ〜３Ｄｒは、いずれも上から「５、６、７、８、１、２、３、４」という数字の左半分として示される、同一の装飾３ｒとなっている。図２に示した第１実施形態では、右端領域に存在する装飾３Ａｒ〜３Ｄｒは、いずれも上から「１、２、３、４、５、６、７、８」という数字の左半分であるのに対し、図１０に示した第２実施形態では、右端領域に存在する装飾３Ａｒ〜３Ｄｒは、いずれも上から「５、６、７、８、１、２、３、４」という数字の左半分となっている点が異なっている。
【００４９】
複数の化粧材１Ａ〜１Ｄを幅方向に並列配置する場合に、幅方向に隣接する化粧材相互の境目（図１および図９における４ＡＢ、４ＢＣ、４ＣＤ）において、装飾どうし（３ｌと３ｒ）が境目を跨って連続するように施工する場合を考える。第１実施形態においては、図２に示す各化粧材１Ａ〜１Ｄ間の隙間をなくすように幅方向に移動させるだけで、図１に示す通り装飾どうし（３ｌと３ｒ）を境目を跨って連続するようになる。この第１実施形態においては、図２の状態から図１の状態にするにあたり、各化粧材１Ａ〜１Ｄの長方形形状が伸びる方向（長辺方向）への移動は伴わない。
【００５０】
一方、第２実施形態においては、図９に示す通り装飾どうし（３ｌと３ｒ）が境目を跨って連続するようにするためには、図１０に示す各化粧材１Ａ〜１Ｄ間の隙間をなくすように幅方向に移動させるだけでなく、長辺方向の移動も必要となる。すなわち第２実施形態においては、図１０の状態から図９の状態にするにあたり、各化粧材１Ａ〜１Ｄ長辺方向への移動が伴う。この長辺方向の移動により、各化粧材の左端領域の装飾３ｌ、と右端領域の装飾３ｒとが境目を跨って連続するようになる。図９においては、隣接する化粧材間の境目（４ＡＢ、４ＢＣ、４ＣＤ）において、数字の左半分として示される右端領域の装飾３ｒと、数字の右半分として示される左端領域の装飾３ｌとが、境目を跨って連続するように接続され、通常の数字として認識可能に示される。
【００５１】
隣接する化粧材間の境目（４ＡＢ、４ＢＣ、４ＣＤ）において、右端領域の装飾３ｒと、左端領域の装飾３ｌとが、境目を跨って連続するように接続され、一体の装飾３ｌｒとして認識される。そして隣接する化粧材間の境目（４ＡＢ、４ＢＣ、４ＣＤ）相互で、一体の装飾３ｌｒが同一となる長辺方向の位置は異なっている。この一体の装飾３ｌｒの長辺方向の位置のずれ量がオフセット量ＯＦである。図９の例においては、オフセット量ＯＦは、長辺方向の繰り返しの間隔Ｐの１／２となっている。
【００５２】
オフセット量ＯＦを有する第２実施形態においても第１実施形態と同様に、図１１に示す通り化粧材１Ａ〜１Ｄを任意の順序で幅方向に並列配置可能である。また１組の建装材１０が４種類の複数の化粧材１Ａ〜１Ｄから構成される場合であっても、４種類の中から任意の３種類（図１２）あるいは２種類（図１３）を選択して任意の順序で幅方向に並列配置可能である。すなわち第１実施形態と同様に、１組の建装材１０が、例えばｎ種類（ここで、ｎは３≦ｎの自然数）の複数の化粧材１から構成されている場合において、その中から任意のｍ種類（２≦ｍ≦ｎ）のみを選択し、さらにそれらｍ種類の化粧材を任意の順番に幅方向に並列配置することができる。
【００５３】
第２実施形態の効果が顕著に現れるのは、後述する図１４のように２種類の化粧材１を交互に幅方向に隣接して施工する場合の様に、同一種類の複数の化粧材１相互の幅方向の距離がある程度近い場合である。
【００５４】
上述の通り、本発明に係る化粧材１は、同一種類の複数の化粧材を、幅方向に隣接する化粧材相互の境目において装飾どうしは境目を跨って連続するように並列配置した場合に、幅方向に隣接する化粧材において同一となる装飾は、長方形形状が伸びる方向（一方向）にオフセットするように構成されている。このことにより、幅方向に他種類の化粧材１を１つだけ挟むように近接して施工する場合であっても、装飾３の幅方向の繰り返しが視覚的に認識され難いため、少ない種類の化粧材１により施工することが可能であり、したがって安価に施工することが可能である。また巻取状の化粧材１を運搬する手間や、保管する場所も少なくて済み、経済的かつ合理的である。また、建装材１０の設計の自由度が高くなる。
【００５５】
ところで、２種類の化粧材１を交互に幅方向に隣接して施工する例である、オフセット量ＯＦを設定しない（すなわち０である）図６と、オフセット量ＯＦを長辺方向の繰り返しの間隔Ｐの１／２に設定した図１３とを比較すると、いずれにおいても、幅方向において長辺方向の同じ位置（真横）に交互に同一の装飾（３Ａｃあるいは３Ｂｃ）が現れており、図１３においてオフセット量ＯＦを設定した効果が得られていない。
【００５６】
上記を考慮し、例えばオフセット量ＯＦを長辺方向の繰り返しの間隔Ｐの１／４に設定した例を図１４〜図１６に示す。この場合における２種類の化粧材１を交互に幅方向に隣接して施工する例を図１４に示す。図１４においては、長辺方向の同じ位置（真横）に同一の装飾（３Ａｃあるいは３Ｂｃ）が現れるまでの幅方向の距離が、図１３に示したオフセット量ＯＦを長辺方向の繰り返しの間隔Ｐの１／２に設定した例よりも２倍に長くなっており、そのため幅方向の繰り返しが認識され難く好ましい。
【００５７】
一方、オフセット量ＯＦを長辺方向の繰り返しの間隔Ｐの１／４に設定した例において、１種類の化粧材１のみを幅方向に並列配置した場合の比較例を図１５に示すが、図８に示すオフセット量ＯＦを長辺方向の繰り返しの間隔Ｐの１／２に設定した比較例と比べると、図１５においては右下がりの繰り返しが観念され、図８よりは繰り返しが認識され易くなっている。この比較からも１種類の化粧材１のみを幅方向に並列配置する場合におけるオフセット量ＯＦは、繰り返しの間隔Ｐの１／２が好ましいことが理解できる。また４種類の化粧材１を幅方向に隣接して施工する本発明の実施形態の例を図１６に示す。施工の際に用いる化粧材１の種類がある程度多い場合には、オフセット量ＯＦはあまり意味をなさないことは上述の通りであるが、オフセット量ＯＦを長辺方向の繰り返しの間隔Ｐの１／４とした場合においても、好適に使用できることが分かる。
【００５８】
上述のようにオフセット量ＯＦは任意に設定できるが、その好ましい量は、施工の際に用いる化粧材１の種類の数により異なる。１組の建装材１０のうち、施工に用いる化粧材１の種類が２種類以上である場合には、上記の通り１／２が好ましいとは限らない。本発明における１組の建装材１０を構成する複数の化粧材１におけるオフセット量ＯＦは、施工の際に用いられる化粧材１の種類の数を想定するなどして、適宜定めることができる。
【００５９】
上記では主に、１組の建装材１０が４種類の複数の化粧材１Ａ〜１Ｄから構成される例で説明してきた。しかしこれに限定されることはなく、１組の建装材１０は、２種類以上、好ましくは３種類以上であれば、何種類の複数の化粧材から構成されていても良い。また１組の建装材１０が、例えばｎ種類の複数の化粧材１から構成されている場合において、その中から任意のｍ種類（ｍ≦ｎ）のみを選択して使用しても良い。準備（購入）する化粧材の種類を少なくすることで、化粧材の購入費用を抑えることができ、経済的だからである。また巻取状の化粧材１を運搬する手間や、保管する場所も少なくて済み、経済的かつ合理的である。
【００６０】
例えば本発明に係る１組の建装材１０が、１０種類の化粧材１Ａ〜１Ｊからなる場合、その中から例えば任意の５種類を選択して購入、施工しても構わない。１０種類の化粧材１Ａ〜１Ｊはいずれも、上述の通り、左端領域の装飾３ｌ、および右端領域の装飾３ｒはそれぞれ相互に視覚上同一あるいは同一に近いものとなっているため、１０種類の化粧材のうちどれを選択し、どのような順序で幅方向に並列配置したとしても、幅方向に隣接する化粧材相互の境目４において、装飾３どうしは境目を跨って連続するように構成される。
【００６１】
上記および図面においては、装飾については特に限定することなく、概念的に説明してきた。本発明においては、１組の建装材１０を構成する異なる種類の複数の化粧材１は相互に、左端領域の装飾３ｌ、および右端領域の装飾３ｒはそれぞれ相互に視覚上同一あるいは同一に近いものであるにも関わらず、中央領域の装飾３ｃは少なくとも部分的に相互に相違しており、かつ左端領域の装飾３ｌと中央領域の装飾３ｃと右端領域の装飾３ｒとがそれぞれ違和感なく連続的に形成されている。この様な本発明に適した装飾としては、左官加工のコテ跡調、スタッコ調、塗り壁調、木目調、石目調などを挙げることができるが、これらに限定されることはなく、他の装飾であっても良い。
【００６２】
（製造方法）
本発明に係る１組の建装材を構成する化粧材は、従来の化粧材と同様の方法で製造することができる。ただし装飾形成前における、装飾のデータ処理（修正）においては、長辺方向の繰り返しに伴う通常のつなぎ目処理の他、左端領域の装飾３ｌと中央領域の装飾３ｃと右端領域の装飾３ｒとがそれぞれ違和感なく連続的に形成され、かつ幅方向に隣接する化粧材相互の境目４において、装飾３どうしは境目を跨って連続するように、幅方向の境目処理も必要となる。上記各つなぎ目処理、および境目処理については、長辺方向はもちろん幅方向においても従来の方法を適用可能である。
【００６３】
装飾の形成方法として、各種印刷法における絵柄模様の形成や、凹凸模様の賦形処理、それらの組み合わせなどを挙げることができる。各種印刷法としては、グラビア印刷、オフセット印刷、フレキソ印刷などの輪転印刷版を用いた印刷法を挙げることができ、効率面などからグラビア印刷、オフセット印刷が好ましく、通常はグラビア印刷がさらに好ましい。また、シルクスクリーン印刷や、小ロット生産の場合は、版を用いないインクジェット印刷などの無版印刷方式を用いることもできる。凹凸模様の賦形処理の一例としてはエンボス版を用いたエンボス加工を挙げることができる。また化粧材が複数の材料を張り合わせて形成される場合には、ラミネーターなどで張り合わせる。上記は各一例であり、化粧材の層構成を考慮して、上記以外の方法で形成されても構わない。
【００６４】
（実施例）
本発明に係る１組の建装材１０を構成する化粧材１の実施例を図１７〜図２１に示す。実施例に係る１組の建装材１１０は、３種類の化粧材１０１Ａ（図１７）、１０１Ｂ（図１８）、１０１Ｃ（図１９）から構成されている。これらの３種類の化粧材１０１Ａ〜１０１Ｃはいずれも一方向（図面における縦方向）に伸びる長方形形状を有しており、これらの３種類の化粧材１０１Ａ〜１０１Ｃは図１７〜図１９に示す通り、装飾が相互に相違している。また、３種類の化粧材１０１Ａ〜１０１Ｃは各々、長方形形状の伸びる方向（図面における縦方向）に、一定の間隔Ｐで同一の装飾を有しており、図１７〜図１９においては、一定の間隔Ｐの２倍程度の範囲が示されている。そして一定の間隔Ｐは３種類の化粧材１０１Ａ〜１０１Ｃにおいて同じになっている。
【００６５】
３種類の化粧材１０１Ａ〜１０１Ｃを幅方向に並列配置して施工した例を図２０に示す。幅方向に隣接する化粧材１０１Ａ〜１０１Ｃ相互の境目（１０４ＡＢ、１０４ＢＣ）において、装飾どうしは境目を跨って連続するように構成されており、境目が認識し難くなっていることが確認できる。
【００６６】
同一種類の複数の化粧材１０１Ｂを幅方向に並列配置して施工した比較例を図２１に示す。幅方向に隣接する化粧材１０１Ｂ相互の境目（１０４ＢＢ）において、装飾どうしは境目を跨って連続するように構成されており、境目が認識し難くなっていることが確認できる。また、幅方向に隣接する化粧材１０１Ｂにおいて同一となる装飾は、長辺方向に図中のＯＦだけオフセットするように構成されており、それゆえ幅方向における装飾の繰り返しが認識し難くなっていることが確認できる。
ただし、図２０に示す本発明実施例の建装材と比較すると、幅方向の装飾模様の繰り返し周期が認識され易くなっている。
【００６７】
以上、本発明に係る化粧材について説明したが、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【符号の説明】
【００６８】
１、１Ａ〜１Ｄ、１０１、１０１Ａ〜１０１Ｃ      化粧材
２ｃ、２Ａｃ〜２Ｄｃ      化粧材の中央領域
２ｌ、２Ａｌ〜２Ｄｌ      化粧材の左端領域
２ｒ、２Ａｒ〜２Ｄｒ      化粧材の右端領域
３、３Ａ〜３Ｄ      装飾
３ｃ、３Ａｃ〜３Ｄｃ      中央領域の装飾
３ｌ、３Ａｌ〜３Ｄｌ      左端領域の装飾
３ｒ、３Ａｒ〜３Ｄｒ      右端領域の装飾
３ｌｒ      一体の装飾
４、１０４      隣接する化粧材間の境目
１０、１１０      １組の建装材
Ｐ      繰り返しの間隔
ＯＦ      オフセット量
【図１】
2020051151.tif 000003
【図２】
2020051151.tif 000004
【図３】
2020051151.tif 000005
【図４】
2020051151.tif 000006
【図５】
2020051151.tif 000007
【図６】
2020051151.tif 000008
【図７】
2020051151.tif 000009
【図８】
2020051151.tif 000010
【図９】
2020051151.tif 000011
【図１０】
2020051151.tif 000012
【図１１】
2020051151.tif 000013
【図１２】
2020051151.tif 000014
【図１３】
2020051151.tif 000015
【図１４】
2020051151.tif 000016
【図１５】
2020051151.tif 000017
【図１６】
2020051151.tif 000018
【図１７】
2020051151.tif 000019
【図１８】
2020051151.tif 000020
【図１９】
2020051151.tif 000021
【図２０】
2020051151.tif 000022
【図２１】
2020051151.tif 000023